(57)【要約】【課題】特殊な部材を使用する事無く、安価に、かつ迷光の原因となるような漏れ光を発生させない光源装置および同光源装置を採用したプロジェクタを提供する。【解決手段】光を放射する光源２４ｂと、光源２４ｂより放射される光を焦点Ｆに集光させるリフレクタ２４ｃと、リフレクタ２４ｃの前面に被せて接続されるランプカバー２４ｄと、を備えるプロジェクタのランプ構造において、ランプカバー２４ｄには、リフレクタ２４ｃとの接続端部内側に鏡面部２４ｆが形成され、同鏡面部２４ｆは光源２４ｂより照射される光を同光源２４ｂに向かって反射する。【選択図】図４
2007317422.tif 000002
【特許請求の範囲】
【請求項１】
投射光を生成する光源装置と、入力した映像信号に基づいて上記投射光を加工する映像再生部と、投射光の焦点をあわせる投射レンズと、上記投射光を上記投射レンズに導入する上記光源装置を含む光学ユニットと、これらを収容する筐体とを備えつつ、
上記光源装置は、光を放射する光源と、同光源より放射される光を所定の焦点に集光させるリフレクタと、同リフレクタの前面に被せて接続されるランプカバーと、を備えるプロジェクタにおいて、
上記ランプカバーには、同ランプカバーの上記リフレクタと接続される端部の近辺の内側面であって、上記光源から放射される光が照射される光が照射される部位に、上記光源の点光源としての電極を中心とした球面と略一致する曲面を持ちつつ同曲面が鏡面加工されて同点光源から放射される光を同点光源の方向に向かって反射する鏡面部が形成され、
上記鏡面部によって反射された光は、上記光源を通過して上記リフレクタに照射され、上記所定の焦点に向かって反射されることを特徴とするプロジェクタ。
【請求項２】
光を放射する光源と、
上記光源より放射される光を所定の焦点に集光させるリフレクタと、
上記リフレクタの前面に被せて接続されるランプカバーと、
を備えるプロジェクタのランプ構造において、
上記ランプカバーには、上記リフレクタとの接続端部近辺の内側面に鏡面部が形成され、同鏡面部は上記光源より照射される光を同光源に向かって反射する
ことを特徴とするプロジェクタのランプ構造。
【請求項３】
上記ランプカバーの内面全体に鏡面を形成し、上記ランプカバーの内面に照射される光を上記光源に向かって反射するようにした
ことを特徴とする上記請求項２に記載のプロジェクタのランプ構造。
【発明の詳細な説明】
【技術分野】
【０００１】
本発明は、プロジェクタのランプ構造および同ランプ構造を採用したプロジェクタに関する。
【背景技術】
【０００２】
従来のプロジェクタおいては、図６のような光源装置が使用されていた。図６において、光源装置１は、概略、光源１ａとリフレクタ１ｂとランプカバー１ｃとから構成される。光源１ａから放射された光はリフレクタ１ｂにて反射されて焦点Ｆに集光され、光源装置１の外部のライトパイプ２などに供給される。
【０００３】
しかしながら、光源１ａより放射される光には、リフレクタ１ｂの開口よりも外側に向かって放射される成分がある。この成分は、通常であればランプカバー１ｃの表面に照射されるため散乱もしくは吸収され、吸収された光は無駄となり、散乱されたもののほとんどについては焦点Ｆへは到達しないため無駄であるのみならず光源装置１の外部へと漏れて迷光の原因になっていた。
【０００４】
このような課題を解決するために、以下のような技術が知られている。すなわち、特許文献１には、ランプバブルのガラス壁面の漏れ光に対応する位置に鏡面部を形成して、リフレクタに対して反射させるプロジェクタの光源装置について開示されている。また、特許文献１の従来の技術に、リフレクタの外周縁にランプバブルを中心点とする球面リフレクタを設けたものが知られていると記載されている。さらに特許文献２には、ランプカバーを光反射率の高い金属で構成した光源装置について開示されている。
【特許文献１】特開平０６−５１４０２号
【特許文献２】特開２００４−２０６９４９号
【発明の開示】
【発明が解決しようとする課題】
【０００５】
しかしながら、特許文献１の光源装置では特殊な光源を使用しなければならず、また、特許文献２の光源装置ではランプカバーから反射される光が焦点以外の方向へ漏れることがあり、迷光の原因となる可能性があった。
【０００６】
本発明は、上記課題にかんがみてなされたもので、特殊な部材を使用する事無く、安価に、かつ迷光の原因となるような漏れ光を発生させない光源装置および同光源装置を採用したプロジェクタを提供することを目的とする。
【課題を解決するための手段】
【０００７】
上記課題を解決するために、本発明にかかるプロジェクタでは、投射光を生成する光源装置と、入力した映像信号に基づいて上記投射光を加工する映像再生部と、投射光の焦点をあわせる投射レンズと、上記投射光を上記投射レンズに導入する上記光源装置を含む光学ユニットと、これらを収容する筐体とを備えつつ、上記光源装置は、光を放射する光源と、同光源より放射される光を所定の焦点に集光させるリフレクタと、同リフレクタの前面に被せて接続されるランプカバーと、を備えるプロジェクタにおいて、上記ランプカバーには、同ランプカバーの上記リフレクタと接続される端部の近辺の内側面であって、上記光源から放射される光が照射される光が照射される部位に、上記光源の点光源としての電極を中心とした球面と略一致する曲面を持ちつつ同曲面が鏡面加工されて同点光源から放射される光を同点光源の方向に向かって反射する鏡面部が形成され、上記鏡面部によって反射された光は、上記光源を通過して上記リフレクタに照射され、上記所定の焦点に向かって反射される構成としてある。
【０００８】
また、上記課題を解決するために、本発明のプロジェクタのランプ構造では、光を放射する光源と、上記光源より放射される光を所定の焦点に集光させるリフレクタと、上記リフレクタの前面に被せて接続されるランプカバーと、を備えるプロジェクタのランプ構造において、上記ランプカバーには、上記リフレクタとの接続端部近辺の内側面に鏡面部が形成され、同鏡面部は上記光源より照射される光を同光源に向かって反射する構成としてある。
すなわち、上記光源より放射された光のうち上記鏡面部に照射された光は、上記光源に向かって反射されて光源を通過し、上記リフレクタにて上記所定の焦点に集光される。むろん、上記光源から直接上記リフレクタに照射された光も上記所定の焦点に集光される。従って上記所定の焦点に集光される光の輝度が向上する。具体的には、上記鏡面部を形成する以前に比して、１０％以上の輝度の向上が可能である。また、単純にランプカバーの反射率を高めたものと違い、上記ランプカバーにより光を反射しつつも光は所定の焦点に集光されるため、上記鏡面部によって漏れ光が生じることはなく、迷光の原因となることがない。さらに、従来使用していたランプカバーに簡易な構成を付加することにより実現できるので安価に輝度の上昇を実現することが出来る。
【発明の効果】
【０００９】
以上説明したように本発明によれば、焦点Ｆに集光される光の輝度が向上し、鏡面部を形成する以前に比して１０％以上の輝度の向上が可能である。また、単純にランプカバーの反射率を高めたものと違い、上記ランプカバーにより光を反射しつつも光は所定の焦点に集光されるため、上記鏡面部によって漏れ光が生じることはなく、迷光の原因となることがない。さらに、従来使用していたランプカバーに簡易な構成を付加することにより実現できるので安価に輝度の上昇を実現することが出来る。
【００１０】
また請求項３にかかる発明によれば、ランプカバーのほぼ全面に渡って鏡面部が形成されるため、光源から放射される光のうち、ランプカバーに照射される光のほぼ全てを光源に向かって反射させることが可能となる。従って、光源から直接リフレクタに照射された光に加えて、ランプカバーに照射された光のほぼ全てが鏡面部により反射されてリフレクタを経由して焦点Ｆに集光されるため、光の無駄が無くなる。さらに、上記ランプカバーに起因する散乱がほとんど無いため漏れ光となる光が無く、ランプカバーに起因する迷光をほぼゼロにすることができる。
さらに請求項１のような、より具体的な構成において、上述した請求項２の発明と同様の効果を奏することはいうまでもない。
【発明を実施するための最良の形態】
【００１１】
以下、下記の順序に従って本発明の実施形態を説明する。
（１）プロジェクタの構成：
（２）光源の構成：
（３）まとめ：
【００１２】
（１）プロジェクタの構成： 
図１は、本発明の一実施形態にかかるプロジェクタを斜めから見て示している。プロジェクタ１０は、略箱型形状の筐体１６を有しており、この筐体１６の下部に備えられた脚部１６ａ、１６ｂによって適正な姿勢で設置される。筐体１６の前面側に投射レンズ２６の前方部分が露出しており、投射レンズ２６からスクリーンなどの投影面に映像光を投影する。脚部１６ａ,１６ｂには、図示しない高さ調整機構が設けられ、投射レンズ２６から投影する光の投影角度を調整することができる。
【００１３】
図２は、プロジェクタ１０の内部構成を上方から見て示した上面図である。同図において、投射レンズ２６は略筒状に形成されており、筐体１６の内部に後方部分が収容されている。投射レンズ２６を含む光学ユニット２０は、プロジェクタ１０の筐体１６内部において前面側に備えられる。その他、筐体１６の内部には入力された電気信号に基づいて制御信号を出力する映像信号処理基板５０や電源基板５４や各種のコネクタを備える入出力基板５２などが備えられる。
【００１４】
図３は、光学ユニット２０の構成を模式的に示している。同図において、光学ユニット２０は、投射光を生成するとともに、この投射光を映像信号に基づいて加工されたＲＧＢの光に変換し、変換した投射光を投射レンズ２６に対して出力する。光学ユニット２０は、光源装置２４とカラーホイル２１とライトパイプ２２とイルミネーションレンズ２７、２８とミラー２３とＤＭＤ２５とから構成されている。
【００１５】
光源装置２４は、光学ユニット２０を筐体１６に収容したときに筐体１６の前方側の一方の側方に配置され、ＲＧＢの各波長成分を含む白色光を生成する。また、光源装置２４は光源２４ｂから後方に出射した光を反射させる放物面形状のリフレクタ２４ｃを備えており、光源装置２４にて生成した光を、カラーホイル２１に向けて出射させるようになっている。光源２４ｂとしては、例えば、ハロゲンランプ、メタルハライドランプ、高圧水銀ランプ、キセノンランプ等を用いることが可能である。本実施例においては、光源２４ｂとしてアークランプを採用したものを例にとって説明する。また、リフレクタ２４ｃとしては、例えば、放物面鏡や、楕円面鏡等を用いることが可能である。
【００１６】
カラーホイル２１は、略円盤形状を有しており、筐体１６の幅方向と略並行に配置され、ＲＧＢの３色のカラ−フィルタが等間隔に配置されている。カラーホイル２１は、所定の角度範囲ごとに異なる分光用フィルタを構成する円盤状のカラーフィルタを、所定速度で回転させるとともに、光源２４ｂから出射した白色光が上記分光フィルタを通過することで、Ｒ、Ｇ、Ｂの光に順次分離される。ライトパイプ２２は、断面視略矩形状の柱状体であり、筐体１６の幅方向に配向しつつ、カラーホイル２１を通過した光を略平行な光に変換して、後述するミラー２３へ案内する。むろんカラーホイル２１は、コントラスト改善と白の明るさ向上のために、ＲＧＢの他に白（透明）を加えた４セグメントカラーフィルタを使用してもよいし、ＲＧＢにイエロー（Ｙ）、マゼンダ（Ｍ）、シアン（Ｃ）を加えて６色としたものでもよい。
【００１７】
ミラー２３は、筐体１６の前方側であって光源２４ｂとは反対の側方に配置され、ライトパイプ２２から射出される平行光を後方側上方であって幅方向には反対側に反射させる。また、イルミネーションレンズ２７は、ライトパイプ２２からの光をミラー２３に集光させるためのものであり、イルミネーションレンズ２８は、ミラー２３により反射した光をＤＭＤ２５に集光させるためのものである。
【００１８】
ＤＭＤ２５は、ミラー２３にて反射された平行光が照射される位置に配置され、ＲＧＢの各光を画素毎に変調する変調素子としてのマイクロミラーを複数備えている。マイクロミラーは所定の配列で配置しているとともに、映像信号処理基板５０から制御信号として出力されるＲＧＢ信号に基づいて個別に駆動制御され、反射面の角度を所定角度（例えば、１２度）傾斜させることが可能となっている。ＤＭＤ２５はＲＧＢ信号に基づいて上記各マイクロミラーを時分割駆動させることでミラー２３にて反射された光の輝度を変化させる。これによりＤＭＤ２５は所定の映像を形成するように投射光を加工しつつ、投射レンズ２６に向けて反射させる。
【００１９】
投射レンズ２６は、筐体１６の前方に向けた光軸を有しＤＭＤ２５によって変調された画像光をスクリーンに拡大投影するためのものである。投射レンズ２６は、ＲＧＢの各色光の色収差等に起因する投影画像の不鮮明を防止する目的で、複数の集光素子を光軸方向に沿って配置した組レンズとして構成されている。
【００２０】
図３における２点鎖線の矢印は、投射光の進行方向を示している。光源２４ｂから出射した白色の投射光は、カラーホイル２１によりＲＧＢの各色光に分離され、同分離された投射光はライトパイプ２２により集められ、ミラー２３に案内される。ライトパイプ２２から出射した投射光は、ライトパイプ２２とミラー２３との間に介在するイルミネーションレンズ２７により集光されてミラー２３に入射し、ミラー２３により後方に反射される。ミラー２３により反射された投射光は、イルミネーションレンズ２８により集光されてＤＭＤ２５に入射する。そして、ＤＭＤ２５により加工された投射光は、投射レンズ２６によりスクリーンに拡大投影される。
【００２１】
（２）光源の構成： 
図４に光源装置２４の断面図を示した。同図において、光源装置２４は、概略、電極２４ａが接続された光源２４ｂと、光源２４ｂより放射される光を所定の焦点Ｆに集光させるリフレクタ２４ｃと、リフレクタ２４ｃの前面に被せて接続されるランプカバー２４ｄと、ランプカバー２４ｄの開口部に取り付けられてリフレクタ２４ｃから照射される光から紫外光を除去するカットフィルタ２４ｅと、ランプカバー２４ｄのリフレクタ２４ｃとの接続端部内側に形成される鏡面部２４ｆと、から構成されている。
【００２２】
光源２４ｂは、透光性のガラス製の細長い略円筒形状であり、略円筒の軸方向が光源装置２４の照射方向と略一致するように配置され、軸方向の略中央付近にて発光するようになっている。この発光する部分は円筒が膨らんだ略球状であり、略球状部分の略中心に近接対向させて配置された一対の電極を点光源として発光するようになっている。この発光は光源２４ｂ内部に封入されたガスが電極のアーク放電による。円筒の軸方向両端部は、光源発光ガスの封入のためにシールされているため、上記電極から円筒の軸方向への光の放射はほとんど無く、主に略球状部分の略円筒形状部分から膨らんで飛び出した方向への放射が主となる。つまり、図４において、光源２４ｂから左右方向への光の放射は少なく、上方向から右上および左上方向への放射と、下方向から右下および左下方向への放射とが主となる。
【００２３】
リフレクタ２４ｃは、反射面がパラボラ状（すり鉢状）に形成され、光源２４ｂの電極を点光源として放射される光を焦点Ｆに集光するように反射する。反射面はリフレクタ２４ｃの内面に形成されてもよいし、内面側を傾向ガラスなどで形成して反射面は外面に形成されてもよい。パラボラ状の反射面の中央（底）には光源２４ｂが、同反射面に対して軸が垂直になるとともに電極部分が反射面から所定の高さに維持されるように固定されている。図４の破線は、光源２４ｂより放射される光の光路を示し、破線に付してある矢印が光の進行方向である。すなわち、光源２４ｂより放射された光がリフレクタ２４ｃに当たると焦点Ｆに向かって反射される。
【００２４】
ランプカバー２４ｄは、リフレクタ２４ｃの開口と略一致する第一の開口と、同第一の開口よりも小さい第二の開口とを持ち、同第一の開口の内径と同第二の開口の内径とを滑らかにつなぐ斜面により漏斗状に形成されている。上記第一の開口はリフレクタ２４ｃの開口と接続され、同接続された部位から光が外に漏れないようになっている。また、上記斜面は、リフレクタ２４ｃから焦点Ｆへと反射される光を妨げないように、リフレクタ２４ｃの開口端部から反射される光の光路よりも外側に形成される。上記第二の開口にはカットフィルタ２４ｅがはめ込まれ、リフレクタ２４ｃから焦点Ｆへと反射される光のうち紫外光以外の光をライトパイプ２２へ透過しつつ、紫外光はリフレクタ２４ｃとランプカバー２４ｄにて形成される空間から外へもれないようにしている。
【００２５】
鏡面部２４ｆは、ランプカバー２４ｄのリフレクタ２４ｃと接続される端部の近辺の内側面であって、光源２４ｂから放射される光が照射される光が照射される部位に形成される。この鏡面部２４ｆは、光源２４ｂの点光源としての電極を中心とした球面と略一致する曲面を持ち、同点光源から鏡面部２４ｆに対して放射される光を同点光源の方向に向かって反射する。鏡面部２４ｆの鏡面は、鏡面加工によって形成されてもよいし、鏡面コーティングによって形成されてもよく、光を反射するようになっていればよい。鏡面部２４ｆによって反射された光は、光源２４ｂを通過してリフレクタ２４ｃに照射され、焦点Ｆに向かって反射される。すなわち鏡面部２４ｆは、光源２４ｂより照射される光を同光源に向かって反射する。特に、光源２４ｂから放射される光は上記第二の開口へは、上述した光源２４ｂの構造上、直接にはほとんど到達することはないため、直接に光源２４ｂから光が到達しやすい上記第一の開口端部に鏡面部２４ｆを設けることによって、光源２４ｂから放射される光の有効利用を図りやすくなり、鏡面部２４ｆを設ける以前と比較して輝度を１０％以上上昇させることが可能となる。
【００２６】
むろん、上記第一の開口の端部付近のみならず、より上記第二の開口の端部寄りの位置にも階段状に鏡面部を設けて、光源２４ｂからランプカバー２４ｄの内面に直接照射される光の略全てを光源２４ｂに反射する構成にしても構わない。このような、複数の鏡面部を設けたランプカバーの一例の断面図を図５に示した。同図において、図４と同一の部位には同一の符号を付して示してある。図５において、ランプカバー２４ｄには、鏡面部２４ｆに加えて、第二の鏡面部２４ｇ、第三の鏡面部２４ｈが形成されている。第二の鏡面部２４ｇおよび第三の鏡面部２４ｈの鏡面の形成方法については、鏡面部２４ｆの形成のされ方と同じである。
【００２７】
第二の鏡面部２４ｇおよび第三の鏡面部２４ｈは、鏡面部２４ｆと同じく、光源２４ｂの点光源としての電極を中心とした球面と略一致する曲面を持つ。鏡面部２４ｆとの相違は、電極からの半径が鏡面部２４ｆ、第二の鏡面部２４ｇ、第三の鏡面部２４ｈの順に大きくなることにより形成位置がリフレクタ２４ｃの開口から外方にずれ、点光源としての電極を中心とした球面上に描くリングが次第に狭くなっていくことである。このとき、鏡面部２４ｆ、第二の鏡面部２４ｇ、第三の鏡面部２４ｈの間は、光源２４ｂから放射される光が各鏡面部の間の面に当たらないように、同放射される光の進行方向と平行または各鏡面部とその間の面の成す角が鋭角となるように形成されると、各鏡面部にて反射される光が多くなり好適である。
【００２８】
図５において、第二の鏡面部２４ｇに照射された光の光路は、例えば光路Ｂのように第二の鏡面部２４ｇに照射されるとともに光路Ｂを通って光源２４ｂに対して反射され、光源２４ｂを通過してリフレクタ２４ｃに当たって焦点Ｆに向かって反射される。同様に第三の鏡面部２４ｈに照射された光の光路は、例えば光路Ｃのように第三の鏡面部２４ｈに照射されるとともに光路Ｃを通って光源２４ｂに対して反射され、光源２４ｂを通過してリフレクタ２４ｃに当たって焦点Ｆに向かって反射される。
【００２９】
（３）まとめ： 
つまり、光を放射する光源２４ｂと、光源２４ｂより放射される光を焦点Ｆに集光させるリフレクタ２４ｃと、リフレクタ２４ｃの前面に被せて接続されるランプカバー２４ｄと、を備えるプロジェクタのランプ構造において、ランプカバー２４ｄには、リフレクタ２４ｃとの接続端部内側に鏡面部２４ｆが形成され、同鏡面部２４ｆは光源２４ｂより照射される光を同光源２４ｂに向かって反射する。
【００３０】
以上説明したように、本実施例に対応する本発明のプロジェクタのランプ構造では、光を放射する光源と、上記光源より放射される光を所定の焦点に集光させるリフレクタと、上記リフレクタの前面に被せて接続されるランプカバーと、を備えるプロジェクタのランプ構造において、上記ランプカバーには、上記リフレクタとの接続端部近辺の内側面に鏡面部が形成され、同鏡面部は上記光源より照射される光を同光源に向かって反射する構成としてある。
すなわち、上記光源より放射された光のうち上記鏡面部に照射された光は、上記光源に向かって反射されて光源を通過し、上記リフレクタにて上記所定の焦点に集光される。むろん、上記光源から直接上記リフレクタに照射された光も上記所定の焦点に集光される。従って上記所定の焦点に集光される光の輝度が向上する。具体的には、上記鏡面部を形成する以前に比して、１０％以上の輝度の向上が可能である。また、単純にランプカバーの反射率を高めたものと違い、上記ランプカバーにより光を反射しつつも光は所定の焦点に集光されるため、上記鏡面部によって漏れ光が生じることはなく、迷光の原因となることがない。さらに、従来使用していたランプカバーに簡易な構成を付加することにより実現できるので安価に輝度の上昇を実現することが出来る。
【００３１】
また、上記ランプカバーの内面全体に鏡面を形成し、上記ランプカバーの内面に照射される光を上記光源に向かって反射する構成としても構わない。すなわち、上記ランプカバーのほぼ全面に渡って鏡面部が形成されるため、上記光源から放射される光のうち、上記ランプカバーに照射される光を出来る限り上記光源に向かって反射させることが可能となる。むろん、アークランプなどのように、内部にガスを封入するために両端からの光の放射が少なくランプカバーへの光の照射量に大きな差が生じる場合は、上記ランプカバーで光が照射量の大きい位置にのみ鏡面を形成しても構わない。従って、上記光源から直接上記リフレクタに照射された光に加えて、上記ランプカバーに照射された光のほぼ全てが上記鏡面部により反射されて上記リフレクタを経由して上記所定の焦点に集光されるため、光の無駄が無くなる。さらに、上記ランプカバーに起因する散乱がほとんど無いため漏れ光となる光が無く、上記ランプカバーに起因する迷光をほぼゼロにすることができる。
【００３２】
以上の構成を踏まえた上で、本実施例に対応する本発明のプロジェクタでは、投射光を生成する光源装置と、入力した映像信号に基づいて上記投射光を加工する映像再生部と、投射光の焦点をあわせる投射レンズと、上記投射光を上記投射レンズに導入する上記光源装置を含む光学ユニットと、これらを収容する筐体とを備えつつ、上記光源装置は、光を放射する光源と、同光源より放射される光を所定の焦点に集光させるリフレクタと、同リフレクタの前面に被せて接続されるランプカバーと、を備えるプロジェクタにおいて、上記ランプカバーには、同ランプカバーの上記リフレクタと接続される端部の近辺の内側面であって、上記光源から放射される光が照射される光が照射される部位に、上記光源の点光源としての電極を中心とした球面と略一致する曲面を持ちつつ同曲面が鏡面加工されて同点光源から放射される光を同点光源の方向に向かって反射する鏡面部が形成され、上記鏡面部によって反射された光は、上記光源を通過して上記リフレクタに照射され、上記所定の焦点に向かって反射される構成としてある。
【００３３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３４】
【図１】本発明の一実施形態にかかるプロジェクタの斜視図である。
【図２】プロジェクタの内部構成を示す上面図である。
【図３】光学ユニットの構成を模式的に示した図である。
【図４】光源装置の断面図である。
【図５】複数の鏡面部を設けたランプカバーを備える光源装置の断面図である。
【図６】従来の光源装置の断面図である。
【符号の説明】
【００３５】
１０…プロジェクタ
１６…筐体
２０…光学ユニット
２１…カラーホイル
２２…ライトパイプ
２３…ミラー
２４…光源装置
２４ａ…電極
２４ｂ…光源
２４ｃ…リフレクタ
２４ｄ…ランプカバー
２４ｅ…カットフィルタ
２４ｆ…鏡面部
２４ｇ…第二の鏡面部
２４ｈ…第三の鏡面部
２５…ＤＭＤ
２６…投射レンズ
２７…イルミネーションレンズ
２８…イルミネーションレンズ
５０…映像信号処理基板
５２…入出力基板
５４…電源基板
Ｆ…焦点
【図１】
2007317422.tif 000003
【図２】
2007317422.tif 000004
【図３】
2007317422.tif 000005
【図４】
2007317422.tif 000006
【図５】
2007317422.tif 000007
【図６】
2007317422.tif 000008